Podtech/llm-jp-corpus-v4-ja_patent huggingface dataset:
(57)【要約】【課題】ブレーキ本体に部品、要素を加えることなく、ブレーキ装置の動作異常を検出することのできるブレーキ装置を提供する。【解決手段】アマチュア１４に設けられたライニング１２を、ばね１６力でディスク１１に押し付けて制動力を発生させ、一方、電磁石１５により上記アマチュア１４を吸引することにより上記ばね１６力に抗して上記ライニング１２の上記ディスク１１への押し付けを解除し、制動力を解除するブレーキ装置において、上記電磁石１５と上記アマチュア１４の間隙に応じてインダスタンス成分が変化することを電流検出値の増減として測定し、この測定値を基準値と比較し、ブレーキ異常を判定するようにした構成。【選択図】      図１
2005014726.tif 000002
【特許請求の範囲】
【請求項１】
アマチュアに設けられたライニングを、ばね力でディスクに押し付けて制動力を発生させ、一方、電磁石により上記アマチュアを吸引することにより上記ばね力に抗して上記ライニングの上記ディスクへの押し付けを解除し、制動力を解除するブレーキ装置において、
上記電磁石と上記アマチュアの間隙に応じてインダスタンス成分が変化することを電流検出値の増減として測定し、この測定値を基準値と比較し、ブレーキ異常を判定するようにしたことを特徴とするブレーキ装置。
【請求項２】
上記異常判定時、トランジスタの通流率を加味したことを特徴とする請求項１記載のブレーキ装置。
【発明の詳細な説明】
【０００１】
【発明の属する利用分野】
本発明はブレーキ装置に関わり、特に、エレベータのブレーキ装置の動作異常を検出するのに好適なブレーキ装置に関する。
【０００２】
【従来の技術】
従来、エレベーター用ブレーキ装置の異常を検出するものとして、電極による接触、非接触を検出することにより、ブレーキ装置の動作異常を検出していた（例えば、特許文献１参照）。
【０００３】
【特許文献１】
特開平９−２４０９３６号公報（段落番号００１９、図１）
【０００４】
【発明が解決しようとする課題】
上記従来技術では、ブレーキ装置内にブレーキ動作を検出するための電極を設けるなどの装置の改造が必要であり、ブレーキ装置が複雑になるなどの不具合があった。
【０００５】
本発明の目的は、ブレーキ本体に部品、要素を加えることなく、ブレーキ装置の動作異常を検出することのできるブレーキ装置を提供することにある。
【０００６】
【課題を解決するための手段】
上記の目的を達成するため、本発明では、アマチュアに設けられたライニングを、ばね力でディスクに押し付けて制動力を発生させ、一方、電磁石により上記アマチュアを吸引することにより上記ばね力に抗して上記ライニングの上記ディスクへの押し付けを解除し、制動力を解除するブレーキ装置において、上記電磁石作動時、この電磁石と上記アマチュアの間隙に応じてインダスタンス成分が変化することを電流値の増減として測定し、この測定値を基準値と比較し、上記電磁石と上記アマチュアの間隙異常を判定するようにしたことを特徴とする。
【０００７】
【発明の実施の形態】
以下本発明の実施形態を図面に基づき説明する。
【０００８】
図１は本発明の一実施形態になるブレーキ装置を示す全体構成図である。
【０００９】
図において、１はディスクブレーキで、このディスクブレーキ１は、マシン（図示せず）の回転軸上を軸方向に摺動可能で径方向には歯により固定されたディスク１１と、このディスク１１を押圧して制動するライニング１２、このライニング１２を固定したプレート１３とアマチュア１４、このアマチュア１４を電磁吸引する電磁石１５、この電磁石１５と上記アマチュア１４間を強制的に引き離し、上記アマチュア１４を上記ディスク１１側に押し付け制動力を発生させるばね１６から構成される。
【００１０】
上記電磁石１５はブレーキ駆動回路２に接続されている。このブレーキ駆動回路２は、電源２１、この電源２１のブレーキへの通流を切り替えるトランジスタ２２、このトランジスタ２２が非導通時に、上記電磁石１５の残留電流を還流するダイオード２３、上記トランジスタ２２のオンオフを制御する制御回路２４、上記電磁石１５の電流を検出する電流センサ２５、上記トランジスタ２２の通流率δと電流検出値Ｉｓから、ギャップ推定値Ｇｅｓを算出する推定器２６からなる。
【００１１】
更に、ブレーキの動作指令ＢｒＣｏｍを上記制御回路２４に出力するエレベーターの上位制御装置３１、ブレーキのギャップ推定値Ｇｅｓとエレベータの運行履歴３２からのブレーキ動作履歴ＢｒＯｐｅから、ブレーキギャップの推定値の温度補正を行いブレーキギャップ推定補正値Ｇｅｓ１を出力するブレーキギャップ補正回路３３がある。
【００１２】
ブレーキ駆動回路２の推定器２６では、主に電流検出値Ｉｓから、ギャップ推定値Ｇｅｓを算定するが、そのアルゴリズムを以下に示す。
【００１３】
電磁石とアマチュアのギャップＧが大になると、インダクタンスが低下するので通流率δ（電圧のチョッパ周期Ｔと通電時間Ｔ１の比Ｔ１／Ｔ）が温度や電圧変動で変化せず同一ならば、電流検出値Ｉｓが小さくなる。したがって、
（１）      まず、ブレーキ開放時は正規の電磁石の電流とし、制動時は検出電流値Ｉｓが電磁石の動作に影響しない程度に小さくして、ブレーキ制動時、ブレーキ開放時での、動作当初の検出電流値Ｉｓを基準値として記録しておく。
【００１４】
（２）      ブレーキ制動時、ブレーキ開放時での検出電流値Ｉｓを測定し、これが、基準値に対して、ある範囲を越えた場合、ブレーキギャップ不良として発報する。この発報は、上記エレベータの上位制御装置３１の端末装置（図示せず）から保守会社へ行うようにしてしても良く、また、保守時に、保守員に知らせるようにしても良い。
【００１５】
なお、通流率δは温度や電圧変動により変動し、これが検出電流値Ｉｓに影響を与える場合、検出電流値Ｉｓに通流率δを加味して基準値を作成し、かつ、通常測定するブレーキ制動時、ブレーキ開放時の値も、検出電流値Ｉｓに通流率δを加味したものとするならより正確なものとすることができる。
【００１６】
このように、ブレーキ構造物には新たな部品、要素を追加することなく、主にソフトウェアに依存した制御回路の変更だけでブレーキ動作の不良を判定できる。
【００１７】
【発明の効果】
本発明によれば、ブレーキ装置の動作異常を、ブレーキ本体に部品、要素を加えることなく、主にソフトウェアに依存した制御回路の変更だけで変更でき、構造を複雑にすることなく行うことができる。
【図面の簡単な説明】
【図１】本発明の一実施形態になるブレーキ装置を示す全体構成図である。
【符号の説明】
１    ディスクブレーキ
２    ブレーキ駆動回路
１１  ディスク
１２  ライニング
１４  アマチュア
１５  電磁石
１６  ばね
２１  電源
２２  トランジスタ
２４  制御回路
２５  電流センサ
【図１】
2005014726.tif 000003
(57)【要約】【課題】  従来は上着と下着は別々に仕立てられていた。ブラジャーを付けると締め付けられ暑い。上着とブラジャーを縫い合わせることにより、１つにしてゆったりとした服を堤供する。【解決手段】  裏布▲１▼  にブラジャー▲２▼  を縫い合わせ、そのブラジャーの前と後に前身頃▲３▼  と後身頃▲４▼  を縫い合わせ仕立てたことを特徴とする。【選択図】図１
2005256256.tif 000002
【特許請求の範囲】
【請求項１】
（イ）裏布にブラャーを縫い合わせる。
（ロ）そのブラジャーの前と後ろに、前身頃と後身頃を縫い合わせて仕上る。
以上の如く仕立てあげた服。
【発明の詳細な説明】
【技術分野】
【０００１】この発明は、上着と下着を合わせた服に関するものである。
【背景技術】
【０００２】従来、服は、上着と下着は別々になっていた。
【発明の開示】
【発明が解決しようとする課題】
【０００３】これはつぎのような問題点があった。
ブラジャーを着けないと、服の上から乳首がわかるので恥ずかしい、着けると締め付けられ、暑い。
本発明は以上のような欠点をなくすためになされたものである。
【課題を解決するための手段】
【０００４】上着にブラジャーを縫い付ける。
以上のようのように仕上げた、上着です。
【発明の効果】
【０００５】上着にブラジャーが縫い付けてあるので、締め付けられないので暑くないまた病人や、お年よりにも、よろこばれる。
【発明を実施するための最良の形態】
【０００６】以下、本発明の実施例について説明する。
裏地▲１▼にブラジャー▲２▼を縫い合わせ、そのブラジャーに、前身頃▲３▼後身頃▲４▼をはさんで縫い合わせ仕上げる。
本発明は、以上のように仕立てた上着を着用すると，体の線が気にならないので恥ずかしくない、又、締め付けられないので暑くない。
【図面の簡単な説明】
【０００７】
【図１】  正面図
【符号の説明】
【０００８】  ▲１▼裏地  ▲２▼ブラジャー  ▲３▼前身頃  ▲４▼後身頃
【図１】
2005256256.tif 000003
【手続補正書】
【提出日】平成16年4月30日(2004.4.30)
【手続補正１】
【補正対象書類名】明細書
【補正対象項目名】０００５
【補正方法】変更
【補正の内容】
【０００５】上着にブラジャーが縫い付けてあるので、締め付けられないので暑くない体の線が気にならない。体の弱い人、熟年層に喜ばれる。
ティシャツ、ブラウス、サマーセーター、パジャマなどに縫い着けます、裏地も、ブラジャーも、パットも、布です、ブラジーの布で裏地を作ることも、裏地でパットやブラジャーを作ることもできます。
(57)【要約】      （修正有）【課題】従来の衣服用スライド調整具は引っ掛かり部分を凸部又は出っ張り部で構成している為に調整具全体を薄く出来ず、スカートやズボンの腰の部分に取り付けられた調整具が違和感となり履き心地が良くなかった。そこで薄く、堅牢で安価な衣類用スライド調整具を提供する。【解決手段】調整具のレール部分に調整用の引っかかり部分として出っ張りを作るのではなく、レール部分に穴を開けた部分、もしくは凹部に調整用の引っかかり部分を作り、動作部分と取り付け本体が一体になった調整具と組み合わせる。【選択図】図３
2005256260.tif 000002
【特許請求の範囲】
【請求項１】
調整具レールの部分に穴を開けた部分、もしくは凹部に調整其の引っかかり部分を作ることにより薄く出来たレール。
【請求項２】
調整具本体を固定する部分と動作をする部分が一体になった調整具。
【発明の詳細な説明】
【発明の詳細な説明】
この発明は調整具レール部分に調整用の引っかかり部分として出っ張りを作るのではなく、レール部分に穴を開けた部分、もしくは凹部に調整用の引っかかり部分を作り、動作部分と取り付け本体が一体になった調整具と組み合わせることにより薄く、堅牢で安価な衣類用スライド調整具に関するものである。
従来のこれらの衣類用スライド調整具のレールには調整するための引っかかり部分として出っ張りを作っていた。また、調整具本体は動作部分と取り付け本体が別の部品になっていた。そのために調整具全体を薄くすることが出来ず、スカートやズボンの腰の部分に取り付けられた調整具が違和感となり履き心地が良くなかった。
そのような欠点を取り除くためにレールに邪魔になる出っ張りを作るのではなく穴を開けた部分、もしくは凹部に調整用の引っかかり部分を作る。出っ張りがないためにレールが薄く作ることが出来、調整具本体も薄く作ることが出来る。また、調整具本体と動作部分を一体化することにより薄く、堅牢で安価な調整具を作ることが出来る。  そうすることによりスカートやズボンに取り付けたときに腰への違和感がなく履き心地が格段に良くなる衣類用スライド調整具を提供することが出来る。
これを図面で説明すればレールに横並びの穴を数箇所開ける、もしくは凹部３を作りそこを調整具の引っかかり部分にする。  そうすることにより調整具本体の動作部分１の先端である２がレールの穴の部分、もしくは凹部に落ち込み固定される。  調整するときには動作部分１を押すとその先端の２が持ち上がることによりレールから開放され別の位置の穴、もしくは凹部に移動することが出来る。  Ｘ方向にずらすときには動作部分を押す必要はなくただ単に引っ張るだけで動作部分１の先端である２は穴、もしくは凹部を超えていき自由に位置を変えることが出来る。  しかしながらＹ方向には動作部分１を押す必要があり勝手にゆるんだりすることはない。
【図面の簡単な説明】
【図１】      調整具レール
【図２】      調整具本体
【図３】      調整具レールと本体を組み合わせた図
【符号の説明】
１．動作部分
２．先端部分
３．穴もしくは凸部
【図１】
2005256260.tif 000003
【図２】
2005256260.tif 000004
【図３】
2005256260.tif 000005
【図４】
2005256260.tif 000006
【手続補正書】
【提出日】平成16年5月25日(2004.5.25)
【手続補正１】
【補正対象書類名】明細書
【補正対象項目名】全文
【補正方法】変更
【補正の内容】
【発明の詳細な説明】
【発明の詳細な説明】
この発明は調整具レール部分に調整用の引っかかり部分として出っ張りを作るのではなく、レール部分に穴を開けた部分、もしくは凹部に調整用の引っかかり部分を作り、動作部分と取り付け本体が一体になった調整具と組み合わせることにより薄く、堅牢で安価な衣類用スライド調整具に関するものである。
従来のこれらの衣類用スライド調整具のレールには調整するための引っかかり部分として出っ張りを作っていた。また、調整具本体は動作部分と取り付け本体が別の部品になっていた。そのために調整具全体を薄くすることが出来ず、スカートやズボンの腰の部分に取り付けられた調整具が違和感となり履き心地が良くなかった。
そのような欠点を取り除くためにレールに邪魔になる出っ張りを作るのではなく穴を開けた部分、もしくは凹部に調整用の引っかかり部分を作る。出っ張りがないためにレールが薄く作ることが出来、調整具本体も薄く作ることが出来る。また、調整具本体と動作部分を一体化することにより薄く、堅牢で安価な調整具を作ることが出来る。  そうすることによりスカートやズボンに取り付けたときに腰への違和感がなく履き心地が格段に良くなる衣類用スライド調整具を提供することが出来る。
これを図面で説明すればレールに横並びの穴を数箇所開ける、もしくは凹部３を作りそこを調整具の引っかかり部分にする。  そうすることにより調整具本体の動作部分１の先端である２がレールの穴の部分、もしくは凹部に落ち込み固定される。  調整するときには動作部分１を押すとその先端の２が持ち上がることによりレールから開放され別の位置の穴、もしくは凹部に移動することが出来る。  Ｘ方向にずらすときには動作部分を押す必要はなくただ単に引っ張るだけで動作部分１の先端である２は穴、もしくは凹部を超えていき自由に位置を変えることが出来る。  しかしながらＹ方向には動作部分１を押す必要があり勝手にゆるんだりすることはない。
【図面の簡単な説明】
【図１】      調整具レール
【図２】      調整具本体
【図３】      調整具レールと本体を組み合わせた図（横図）
【図４】      調整具レールと本体を組み合わせた図（正面図）
【符号の説明】
１．動作部分
２．先端部分
３．穴もしくは凸部
(57)【要約】【課題】  ２枚の模様の異なる布でスカート本体を構成し、着用時前がはだけることがなく、また、着用時にツーパターンの模様が楽しめるスカートを提供すること。【解決手段】  ２枚の模様の異なる布の両端を縫合して筒状のスカート本体を構成し、スカート本体上端の略１／４〜略１／３程度を縫合すると共に、縫合していない部分に腰紐を通す袋溝を形成し、該袋溝に通した腰紐を止めるためのループをスカート本体上端に形成したことを特徴とする。【選択図】        図１
2005256258.tif 000002
【特許請求の範囲】
【請求項１】
２枚の模様の異なる布の両端を縫合して筒状のスカート本体を構成し、スカート本体上端の略１／４程度〜略１／３程度を縫合すると共に、縫合していない部分に腰紐を通す袋溝を形成し、該袋溝に通した腰紐を止めるためのループをスカート本体上端に形成したことを特徴とするスカート。
【発明の詳細な説明】
【技術分野】
【０００１】  本発明は、フリ−サイズで、ツーパターンの模様が楽しめるスカートに関するものである。
【発明の開示】
【発明が解決しようとする課題】
【０００２】  従来から、簡易スカートとして１枚の布を腰に巻く巻きスカートなるものがあるが、この巻きスカートにあっては、着用時前がはだけて体裁が悪いという問題点があり、また１枚の布だけで構成されていたので、ファッションにおいて変化性がないという問題点もあった。【０００３】  本発明は、上記従来技術の問題点を解決するために、２枚の模様の異なる布でスカート本体を構成し、着用時前がはだけることがなく、また、着用時にツーパターンの模様が楽しめるスカートを提供することを目的とするものである。
【課題を解決するための手段】
【０００４】  本発明に係るスカートは、２枚の模様の異なる布の両端を縫合して筒状のスカート本体を構成し、スカート本体上端の略１／４〜略１／３程度を縫合すると共に、縫合していない部分に腰紐を通す袋溝を形成し、該袋溝に通した腰紐を止めるためのループをスカート本体上端に形成したことを特徴とするものである。
【発明の作用】
【０００５】  本発明では、２枚の模様の異なる布の両端を縫合して筒状のスカート本体を構成してあるので、前がはだけることがなく、スカート本体上端の略１／４程度を縫合し、着用時に腰の周りに布が付いているようにしてあるので、この部分を前に折ったり、後ろに折ることによって背面の布の模様が前にきたり、正面の布の模様が後ろにきたりして変化性が楽しめる。
【実施例】
【０００６】  図１は、本発明スカートを正面側から見た斜視図、図２は、本発明スカートを背面側から見た斜視図、図３は、本発明スカートの平面図、図４は、本発明スカートの着用時における正面図である。【０００７】  図において、１は、正面側の布、２は、正面側の布１とは模様が異なる背面側の布であって、具体的には布１、２の大きさは９０ｃｍ四方であり、布１、２の両端が縫合されて筒状となっており、スカート本体が構成されている。【０００８】  ３は、スカート本体上端の略１／３即ち３５ｃｍ程度を縫合した部分であり、この縫合された部分３以外の５５ｃｍ部分が人の腰に入る部分であって、この部分に着用時に締める腰紐を通す袋溝４が形成されている。【０００９】  ５は、前記袋溝４に通される腰紐であって、着用時この腰紐５を締めることによって着用時の締め付け具合つまりフィット具合を調節するもので、腰周りが１１０ｃｍ以下の人が着用できるフリーサイズのスカートとなる。尚、腰周りが１１０ｃｍ以上の人の場合は布１、２の幅をそれ以上の幅としておけばよいものである。【００１０】  ６は、袋溝４に通した腰紐５を止めるためのループである。【００１１】  次に、本発明スカートの具体的用法を説明する。【００１２】  布１側を正面にしてスカートを着用し、腰紐５を締めてフィットさせた後、ループ６を握って前方に持ってくると、背面側の布２が前にきて図４のようになり、締めた腰紐５をループ６に通して止めれば、正面の布１の模様と背面の布２の模様が重なった状態となってスカート正面の模様が変化する。【００１３】  また、布１側を正面にしてスカートを着用し、腰紐５を締めてフィットさせた後、ループ６を握って後方に持っていくと、正面側の布１が後ろにいって正面の模様は変わらないが、背面の模様が変化する。【００１４】  更に、布２側を正面にしてスカートを着用し、上述のようにループ６を握って前方に持ってきたり、後方に持っていったりした後、締めた腰紐５をループ６に通して止めれば、上記の場合と逆のバージョンとなって変化性が楽しめるものである。
【発明の効果】
【００１５】  以上述べた如く、本発明に係るスカートによれば、２枚の模様の異なる布の両端を縫合して筒状のスカート本体を構成し、スカート本体上端の略１／４〜略１／３程度を縫合すると共に、縫合していない部分に腰紐を通す袋溝を形成し、該袋溝に通した腰紐を止めるためのループをスカート本体上端に形成したものであり、２枚の模様の異なる布の両端を縫合して筒状のスカート本体を構成してあるので、前がはだけることがなく、スカート本体上端の略１／４〜略１／３程度を縫合し、着用時に腰の周りに布が付いているようにしてあるので、この部分を前に折ったり、後ろに折ることによって背面の布の模様が前にきたり、正面の布の模様が後ろにきたりしてツーパターン以上の変化性が楽しめるものである。
【００１６】  また、本発明に係るスカートはフリーサイズであるので、１種類のスカートで誰でも着用可能であり、収納時には矩形状の布のような状態になるので、洗濯やアイロンがけも楽に行えるという利点も有するものである。
【図面の簡単な説明】
【００１７】
【図１】  本発明スカートを正面側から見た斜視図である。
【図２】  本発明スカートを背面側から見た斜視図である。
【図３】  本発明スカートの平面図である。
【図４】  本発明スカートの着用時における正面図である。
【符号の説明】
【００１８】    １          正面側の布
２          背面側の布
３          縫合部分
４          袋溝
５          腰紐
６          ループ
【図１】
2005256258.tif 000003
【図２】
2005256258.tif 000004
【図３】
2005256258.tif 000005
【図４】
2005256258.tif 000006
(57)【要約】【課題】  男性靴はもとより、特に、甲被部がないおしゃれなデザインの女性靴に利用することができるつま先用靴下を提供すること。【解決手段】  各指が個別に入る指収納部と、各指収納部から足の土踏まず部近くまで延びる底部と、この底部の両側縁から足の甲を除いて各指収納部に渡り延びている繋ぎ部を有し、繋ぎ部における履き口縁部分が大略Ｕ字状で、甲被部が実質的に存在しないよう形成してある。【選択図】  図２
2005256202.tif 000002
【特許請求の範囲】
【請求項１】
各指が個別に入る指収納部と、各指収納部から足の土踏まず部近くまで延びる底部と、
この底部の両側縁から足の甲を除いて各指収納部に渡り延びている繋ぎ部を有し、
繋ぎ部における履き口縁部分が大略Ｕ字状で、甲被部が実質的に存在していないことを特徴とするつま先用靴下。
【発明の詳細な説明】
【技術分野】
【０００１】
本発明は５本指のつま先用靴下に関する。
【背景技術】
【０００２】
たとえば、特許文献１に記載されているつま先用靴下があり、構成は、足の土踏まず部より前方のみを覆うように構成されたつま先用靴下において、各指を一本ずつ収納しうる５つの指収納部と、５つの指収納部が連結された連結部と、足に穿いたときに足の踵に廻すべく両端が連結部の両側部に止着された紐状部材とを備えることによって、前記紐状部材を踵に廻して穿くことによって当該靴下がつま先から抜け落ちることを防止するように構成してあるものである。
そして、効果として、つま先部のみを覆う５本指の靴下とともに、紐状部材でつま先から抜けることを防止したので、靴が窮屈になったり、抜けて違和感があったりすること等の不具合がなく、快適に使用できることが記載されている。
また、このような５本指の靴下は、各指が独立することになるため、指が直接重ならないし、指が直接重ならないから汗が出やすくなるようなことが無く、蒸れも無くて、臭いも無く、また、汗で指が密着せずに、自由に動かし易い等の利点がある。
ところが、紐状部材は外れ易く、また、サンダル靴である場合には紐状部材および甲被部分ともども直視されることになって、見た目がよくない印象を抱かせるものである。このよくない印象は、特に男性用靴に比べて美的である女性用靴の場合、靴のデザインが洗練されているものであればあるほど際立ち顕著になる。美的なものに関心が強い女性にとっては受け入れ難い構成のものであるといえる。
また、かかる見た目のよくない印象は、紐状部材を除いて構成したものであっても、靴のデザインが、甲被部のない、つま先部と踵部、あるいは、つま先部のみで形成されている靴等では、依然として甲被部分が残って見えるため、おしゃれなデザインのものが多い甲被部のない女性靴には利用できないという不都合がある。
【特許文献１】特開平１０−１３０９０６
【発明の開示】
【発明が解決しようとする課題】
【０００３】
解決しようとする課題は、前記した利点を有しながら、男性靴はもとより、特に、甲被部がないおしゃれなデザインの女性靴に利用することができるつま先用靴下を提供することにある。
【課題を解決するための手段】
【０００４】
本発明は前記した課題を達成するため、以下の構成にしたことを特徴とする。
１．各指が個別に入る指収納部と、各指収納部から足の土踏まず部近くまで延びる底部と、この底部の両側縁から足の甲を除いて各指収納部に渡り延びている繋ぎ部を有し、繋ぎ部における履き口縁部分が大略Ｕ字状で、甲被部が実質的に存在していないことを特徴とする。
【発明の効果】
【０００５】
Ａ．請求項１により、男性靴はもとより、特に、女性靴たとえば甲被部がないおしゃれなデザインの女性靴に利用することができる。
また、各指が独立することになるため、指が直接重ならないし、指が直接重ならないから汗が出やすくなるようなことが無く、蒸れも無くて、臭いも無く、また、汗で指が密着せずに、自由に動かし易い等の利点がある。
【発明を実施するための最良の形態】
【０００６】
図１〜図３には本発明のつま先用靴下における実施の１形態を例示しており、つま先用靴下１は、各指が個別に入る５本の指収納部２と、各指収納部２から足の土踏まず部近くまで延びる底部３と、この底部３の両側縁から足の甲を除いて各指収納部２に渡り延びている繋ぎ部４を有し、底部３縁部分と繋ぎ部４縁部分とで履き口縁部５を形成している。
繋ぎ部４における履き口縁部分５ａは、指収納部２側に向けて奥まる大略Ｕ字状に形成してあり、甲被部が実質的に存在していない態様に形成してある。
履き口縁部５には、ゴム等の弾性材を編み込むか或いは備えるようにして伸縮性がある履き口としてもよいし、伸縮性がないものとしてもよい。
【０００７】
かかるつま先用靴下１は、つま先につけた状態で、甲被部がない女性靴を履いた場合、つま先用靴下１が靴のつま先部に隠れて見えなくなることにより、甲被部のないおしゃれな女性靴でも安心して履くことができるようになる（図２参照）。
また、つま先用靴下１は、つま先につけた状態で、その上に普通の靴下をはき、甲被部がない女性靴を履いた場合、つま先用靴下１が靴のつま先部に隠れて見えなくなることにより、甲被部のないおしゃれな女性靴でも安心して履くことができるようになる（図３参照）。
【図面の簡単な説明】
【０００８】
【図１】本発明のつま先用靴下における実施の１形態を例示している平面図。
【図２】本発明のつま先用靴下をつま先に付けた状態の斜視図。
【図３】本発明のつま先用靴下をつま先に付け、その上に靴下をはいた状態の縦断面図。
【符号の説明】
【０００９】
１  靴下
２  指収納部
３  底部
４  繋ぎ部
５  履き口縁部
５ａ  履き口縁部分
【図１】
2005256202.tif 000003
【図２】
2005256202.tif 000004
【図３】
2005256202.tif 000005
(57)【要約】      （修正有）【課題】百貨店や一部の施設でやっと授乳室を見かける様になりましたが、まだ足りないのが現状です。母乳育児ではトイレでの授乳とゆう事になります。混んでいる時など満足に時間がとれません。また人工ミルクの場合ほ乳瓶湯冷まし入りの魔法瓶ミルクと、かなりの荷物を伴い愚図る赤ちゃんを片手にミルクを作るのは大変な作業になるうえ回数にも限りがあります。また帰宅後のほ乳瓶の洗浄、消毒と母親の負担は謀りしれません。【解決手段】本発明は、授乳をする際第３者からの好奇の目にさらされる事がないように作られた目隠しである。それはコンパクトにたたむ事のできる本体とカバ−からなる。これをつかえばこの時期頻繁に利用する病院の待合室、トイレの少ない飛行機など長時間移動できない狭い空間の中でなおかつ予想以上の時間を有した場合にも回数に関係なく対応が可能である。【選択図】図１
2005256262.tif 000002
【特許請求の範囲】
【請求項１】
コンパクトにたためる本体とカバ−からなるものを使い赤ちゃんを隠すことによりどこでもその場ですぐに授乳が可能になる。洗濯が出来るので半永久的に使用できるまた少ない荷物で移動ができる
【発明の詳細な説明】
【技術分野】
【０００１】本発明は、授乳をする際外部からの目隠しと風よけ日よけを目的とする［背景技術］【０００２】昔であれば赤ちゃんがグズればその場でおっぱいを出して授乳するとゆうのが当たり前であったが近頃では核家族化などの影響もあり授乳する母子を見慣れない。そのため授乳しようとする母子を第３者は好奇の目で見るなどとてもいやな思いを強いられる。［発明の開示］［発明が解決しようとする課題］【０００３】授乳室がほとんどない日本の施設ではトイレでの授乳になる場合が多いが混み合っている時など、満足な時間がとれないのが現状です。【０００４】またミルクの場合粉ミルク、ほ乳瓶、湯冷まし入りの魔法瓶、などの荷物を伴い回数にも限りがある。さらに帰宅後ほ乳瓶の洗浄、消毒と母親の負担は計り知れない。［課題を解決するための手段］【０００５】本発明は、本体とカバ−からなるものを使い公衆の面前から赤ちゃんを隠すことによりどこでもその場ですぐに授乳が可能になる。洗濯が出来るので半永久的に使用できるまたコンパクトにたためるので少ない荷物で移動ができる【０００６】また公園などの野外では授乳時の日よけ風よけの役割を果たす［発明の効果］【０００７】上途したように、本発明は授乳をする際、室内、室外問わず至る所で第３者の好奇の目にさらされることなく、簡単にその場ですぐ授乳ができる。よってこの時期（乳児期）何度も利用する病院の待合室やトイレの少ない飛行機など場所を長時間移動するのが難しい時にでも問題がない。また診察時間など、予定外に長時間になったとしても対応出来る。【０００８】ミルクの場合粉ミルク、ほ乳瓶、湯冷まし入りの魔法瓶、など持ち歩かなくても良くなる。結果、荷物が少なくすみ回数に限りがないため母子の行動範囲は無限となった。さらに帰宅後、ほ乳瓶の洗浄、消毒などの手間が省ける。従って母親の負担は最小限で済む。［発明の実践するための最良の形態］【０００９】以下、本発明の実践の形態を図１〜図３に基づいて説明する。【００１０】図１においては、使用する直前の形態これを頭からかぶり、両サイドの、肩ストッパ−図２の２を肩に乗せるようにする。その時両腕が布に隠れる様に調節する。【００１１】図１の１から赤ちゃんの様子を見ながら授乳開始【００１２】図３の４に柔らかいワイヤ−を入れているため適度な隙間ができ、図１の１との間で換気が可能になる。【００１３】授乳終了後、図３の４と首周りのワイヤ−を重ねるように握りマジックテ−プで留める。ワイヤ−の両サイドをもち円を作るように丸め袋に入れる。【００１４】カバ−が汚れた場合ワイヤ−の周りに２回転させているカバ−を逆回転させはずしネットに入れて洗濯をする。乾いたあとは、ワイヤ−の肩ストッパ−が上にくるように持ちトイレの便座カバ−の要領でカバ−を２回転させ出来上がり。
【図面の簡単な説明】
【００１５】
【図１】使用直前に前から見た図
【図２】カバ−を外し斜めから見た図
【図３】使用直前に後ろから見た図
【符号の説明】
【００１６】１  ゆるいゴムの入った覗き口２  肩に乗せる肩ストッパ−３  収納しやすい様にワイヤ−を固定するマジックテ−プ４  赤ちゃんとの隙間をつくるための柔らかめのワイヤ−
【図１】
2005256262.tif 000003
【図２】
2005256262.tif 000004
【図３】
2005256262.tif 000005
(57)【要約】【課題】本発明は、下着のシャツに関するものであって、シャツ本体の腋部を縫わず開放することによって、上着を着衣したまま下着を脱いだり着たりすることができるシャツである。【解決手段】丸首シャツ本体の上面には首口を設け、袖ぐりの下方である腋部は縫い合わせをなくし、前身頃と後身頃は分離する。また、前身頃と後身頃の両側面にそれぞれ留具を設けて留外しを自由にする。【選択図】図１
2005256261.tif 000002
【特許請求の範囲】
【請求項１】
丸首シャツ本体の上面には首口を設け、袖ぐりの下方である腋部は縫い合わせをなくし、前身頃と後身頃を分離し、前身頃と後身頃の両側面にそれぞれ留具を設けて留外しを自由にすることを特徴とする。着脱が容易な下着。
【発明の詳細な説明】
【技術分野】
【０００１】  本発明は、下着のシャツに関するものであって、シャツ本体の腋部を縫わず開放することによって、上着を着衣したまま下着を脱いだり着たりすることができるシャツである。
【背景技術】
【０００２】  従来より下着は上着を着る前に着衣する衣類であり、一般的に利用される下着の丸首シャツは、胴衣の上面に頭を通す穴である首口が設けられ、肩口より腕を出し入れする袖ぐりが設けられている。
【発明の開示】
【発明が解決しようとする課題】
【０００３】  まず裸の身体に下着を着て、次に上着を着ることを常態としているために、外出先や他人の前では、下着を脱いだり着たりすることができない。
本発明は以上の欠点を解決するものである。
【課題を解決するための手段】
【０００４】  丸首シャツ本体の上面には首口を設け、袖ぐりの下方である腋部は縫い合わせをなくし、前身頃と後身頃は分離する。また、前身頃と後身頃の両側面にそれぞれ留具を設けて留外しを自由にする。
【発明の効果】
【０００５】  上着を着衣したままで、手を上着の首口より中に差し込んで、下着の首口の後首部を手で引っ張ることにより簡単に下着を抜き取ることができる。また、上着を着用したままで上着の首口より下着の前身頃と後身頃を差し込んで、下着を着用することが可能になる。したがって、上着を着用したまま下着の着替えができる。
【発明を実施するための最良の形態】
【０００６】（イ）  胴衣となる本体（１）の上部に首口（２）を設け、首口（２）の前後をそれぞれ前首部（３）と後首部（４）とする。
（ロ）  本体（１）の前面を前身頃（７）とし、背面を後身頃（８）とする。
（ハ）  本体（１）の腕を通す袖ぐり（５）より下方になる腋部（６）とし、その腋部（６）は通常は前身頃（７）と後身頃（８）の両側が縫合されているところを縫合しないで、前身頃（７）と後身頃（８）の両側は分離されている状態である。
（ニ）  前身頃（７）と後身頃（８）の両側の任意の個所に留具（９）を設け、前身頃（７）の留具（９）後身頃（８）の留具（９）はそれぞれ対応して止めたり外したりできる。
本発明は以上の構成よりなり、本発明は次のようにして着用する。
上着の首口の前首部（３）より、上着の前側に前身頃（７）を中に差し入れ、後首部（４）より後身頃（８）を上着の背側に入れる。次いで前身頃（７）と後身頃（８）の裾を下に引っ張るようにして本発明のシャツを整える。最後に、腋部（６）の留具（９）を止めて、前身頃（７）と後身頃（８）を上着の内側に固定し、本発明を着用できる。
本発明を脱ぐときは、腋部（６）の留具（９）を外し、上着の首口より手を差し込んで後首部（４）を上に引っ張り上げる。すると、本発明の首口（２）より首が抜け、本体（１）は上着の内側で前側と背側から前身頃（７）と後身頃（８）がそれぞれ簡単に抜ける。
以上により、上着の首口より本発明を簡単に着替えができる。
【図面の簡単な説明】
【０００７】
【図１】本発明の斜視図
【図２】本発明の展開図
【図３】本発明の使用状態を示す斜視図
【符号の説明】
【０００８】  （１）    本体
（２）    首口
（３）    前首部
（４）    後首部
（５）    袖ぐり
（６）    腋部
（７）    前身頃
（８）    後身頃
（９）    留具
【図１】
2005256261.tif 000003
【図２】
2005256261.tif 000004
【図３】
2005256261.tif 000005
(57)【要約】      （修正有）【課題】家庭内や、外出時、作業中等に、ズボンがズリ落ちて困ることが有るが、それを防ぐために使用する、ズレ止めベルトを提供する。【解決手段】表側（ズボン３に接する側）を上向きに、裏（シヤツ２に接する側）を下向きに毛足の出た、ズレ止めベルト１を、シヤツ２とズボン３の間に使用して、ズボンベルト４で締めるので、ズボンはズリ落ちない。ジヤージーの様な紐や、ゴム紐で締める様なズボンを着用した場合も効果は全く同じてある。【選択図】図１
2005256265.tif 000002
【特許請求の範囲】
【請求項１】
表側に少し固くて長いめの上向きの毛足が有り、裏側は表側より少し柔かくて短めの下向きの毛足が有る素材を使用したズボンズレ止めベルト
【発明の詳細な説明】
【発明の詳細な説明】
【０００１】〔発明の属する技術分野〕
本発明は少し固い素材の表側（ズボンに接する側）に上向きに少し固くて長いめの毛足が有り、裏側（シヤツに接する側）には下向きに表側より少し柔かくて短かめの毛足（ビロードの様な毛足）が有るベルトを着用する事に依り蠕動運動（ゼンドウウンドウ）の作用が働き、シヤツは下向きの毛足で押し下げられ、ズボンは逆に上向きの毛足で上に押し上げられて、ズボンはズリ落ちない。（試作品を３ヶ月間試着）
【０００２】〔従来の技術〕
従来、肩掛式のズボン吊が有るが、使用に面倒でも有り、形式張るのを嫌う人も有り、ズボンやシヤツに固定するものも有るが、いずれもすべてのズボンやシヤツに固定したり、縫い付ける必要が有る等、不便で有り、ゴム式の突起の出たベルトも有るが効果は少ない。
【０００３】〔発明の実施の形態〕
本発明は、毛の（蠕動運動）うごめき運動を利用した、ズボンズレ止めベルトで有り、それを図１に付いて説明すれば、シヤツ（２）とズボン（３）の間にズレ止めベルト（１）を使用し、ズボンベルト（４）で締めて、ズボンをズリ落ちない様にしたものである。
図２はジャージーのズボンの様に、紐（７）で結ぶものや、ゴム紐（８）で締める式のものもあるが、ベルト（４）で締めるものと全く効果は変らない。
又夏の暑い日等に肌着に直接ズレ止めベルト（１）を着用する場合が有るため、肌を刺激しない様に、シヤツ（２）に接する側のベルト（１）の内側は、ベルト（１）の表側（ズボン（３）に接する側）毛足より少し柔かくて短かめの毛足にする。
尚、図３のＡ部詳細を説明すると、人間の体は体形的に、背骨の部分で少し内側に入り込んでいて、ズボン（３）との間に少し隙間が有るので、ベルト（１）のその個所だけ部厚くして、ズレ止め効果を高める様にした。
【０００４】〔発明の効果〕
この様にすれば、シヤツは下向きの毛足で押し下げられ、ズボンは上向きの毛足で押し上げられて、ズボンはズリ落ちる事が無くマジックテープで簡単に着脱が出来て便利である。
【図面の簡単な説明】〔図１〕
ズレ止めベルト使用中の断面図である。
〔図２〕
ジヤージーの様な紐付やゴム紐締め式のズボンを着用した場合の断面図である。
〔図３〕
ズレ止めベルト使用中の腹部（上）腰部（下）の断面図である。
〔図４〕
図３Ａ部の詳細図である。
【符号の説明】
１  ズレ止めベルト
２  シヤツ
３  ズボン
４  ズボンベルト
５  マジックテープ
６  ズボンベルトバツクル
７  紐
８  ゴム紐
【図１】
2005256265.tif 000003
【図２】
2005256265.tif 000004
【図３】
2005256265.tif 000005
【図４】
2005256265.tif 000006
(57)【要約】【目的】帽子が風に飛ばされないように、頭に密着させる伸縮性の生地を帽子に取り付けを提供する。【構成】帽子（１）の内側芯部（２）に伸縮性の生地（３）を設ける。【選択図】    図２
2005256264.tif 000002
【特許請求の範囲】
【請求項１】
帽子（１）の内側芯部（２）  （２）に伸縮性の生地（３）（３）を設けたことを特徴とした飛ばされにくい帽子。
【発明の詳細な説明】
【発明の詳細な説明】
【産業上の利用分野】
【０００１】  この発明は、帽子が風に飛ばされないようにと頭に密着する伸縮性の生地に関するものである。
【背景技術】
【０００２】  従来より、帽子の内側に幅約３ｃｍの芯だけである。
【発明が解決しようとする課題】
【０００３】  これは次のような欠点があった。
帽子の内側の芯では、頭に密着性がないので風が吹くと飛んでいた。
本発明は、この欠点を除くためになされたものである。
【課題を解決するための手段】
【０００４】  帽子（１）の内側芯部（２）  （２）に伸縮性の生地（３）  （３）を設けたことを特徴とした飛ばされにくい帽子である。
【作用】
【０００５】  従来どおりに帽子を被ると伸縮性の生地（３）  （３）が頭に密着する。
【実施例】
【０００６】  以下、本発明の実施例について説明する。
（イ）伸縮性の生地（３）はナイロン・ポリウレタン混合の幅約７ｃｍ（４）、円周４０ｃｍ（５）で頭にフィットする生地を使用。対象は婦人用で紳士用・子供用のサイズは異なる。
（ロ）帽子の内側芯部（２）  （２）に伸縮性の生地（３）を伸ばしながら（２）に沿って縫い合わせる。
なお、図３に示すように内側芯部（２）  （２）に伸縮性の生地（３）の代わりに伸縮性の網（６）  （６）を設ける。これにより、夏は蒸れを防ぐことができる。
【発明の効果】
【０００７】  風が吹いても飛ばされにくいので安心。
【図面の簡単な説明】
【図１】  本発明の側面図
【図２】  本発明の使用状態を示す内側面図
【図３】  本発明の他の実施例を示す内側面図
【符号の説明】
１  帽子
２  内側芯部
３  伸縮性の生地
４  幅約７ｃｍ
５  円周約４０ｃｍ
６  伸縮性の網
【図１】
2005256264.tif 000003
【図２】
2005256264.tif 000004
【図３】
2005256264.tif 000005
(57)【要約】【課題】  エンジンのシリンダブロックに形成した排気側オイル通路と吸気側オイル通路を、部品点数の増加をともなうことなくシリンダブロックの外部において接続する。【解決手段】  シリンダブロックの排気側および吸気側の側壁に設けた排気側オイル通路４と吸気側オイル通路５をシリンダブロックの端面に開口させる。両オイル通路４、５の開口端を覆う延長部６ａをオイルシールリテーナ６に設ける。延長部６ａに設けた凹部６ｂを介してシリンダブロックの端壁に設けた排気側オイル通路４と吸気側オイル通路５の開口端間を接続したことにより、オイルパイプなどを必要としないようにした。【選択図】  図１
2005256658.tif 000002
【特許請求の範囲】
【請求項１】
シリンダブロックの排気側および吸気側の側壁にそれぞれオイル通路（４）、（５）を設け、排気側オイル通路（４）と吸気側オイル通路（５）をシリンダブロックの外部に設けた連通路を介して両オイル通路を接続する一方、クランクシャフトとシリンダブロックの端壁の間をシールするオイルシールを保持するオイルシールリテーナ（６）をシリンダブロックの端壁外面に取り付けたエンジンにおいて、シリンダブロックの端壁に開口させた排気側オイル通路（４）と吸気側オイル通路（５）の開口端を覆う延長部（６ａ）をオイルシールリテーナ（６）に設けるとともに、両オイル通路（４）、（５）の開口端間を接続する凹部（６ｂ）を前記延長部（６ａ）に設けたことを特徴とするエンジンのオイル通路装置。
【発明の詳細な説明】
【技術分野】
【０００１】
本発明はエンジンのオイル通路装置に係り、特に、エンジンのシリンダブロックに形成した排気側オイル通路と吸気側オイル通路をシリンダブロックの外部において接続する簡潔構成のオイル通路装置に関するものである。
【背景技術】
【０００２】
レイアウトの制約などの都合上、シリンダブロックの一側にオイルポンプを配して他側にオイルフィルタを配置する必要性がある場合、通常はシリンダブロックの外部に配設したオイルパイプを介してオイルポンプとフィルタを接続することが多い。
【０００３】
また、例えば図３に示したように、シリンダブロック１の排気側および吸気側の側壁２、３にそれぞれオイル通路４、５を設け、一方のオイル通路４をオイルポンプに接続して他方のオイル通路５をフィルタに接続した場合は、両オイル通路４、５を接続すれば所期の目的を達成することができる。６は図示しないクランクシャフトとシリンダブロック１の端壁の間をシールするオイルシール（図示省略）を保持するオイルシールリテーナである。
【０００４】
ところが、後者の場合はシリンダブロックの外部に配設するオイルパイプを短縮することができるが、いずれの場合にもシリンダブロックの外部にオイルパイプを配設する必要性があるために部品点数が多くなるとともに、他部品との干渉を避けるために細心の注意を払いつつオイルパイプを取り付ける必要性があるという不具合があった。
【発明の開示】
【発明が解決しようとする課題】
【０００５】
解決しようとする問題点は、エンジンのシリンダブロックに形成した排気側オイル通路と吸気側オイル通路を、部品点数の増加をともなうことなくシリンダブロックの外部において接続することができない点である。
【課題を解決するための手段】
【０００６】
本発明は、シリンダブロックの排気側および吸気側の側壁にそれぞれオイル通路を設け、排気側オイル通路と吸気側オイル通路をシリンダブロックの外部に設けた連通路を介して両オイル通路を接続する一方、クランクシャフトとシリンダブロックの端壁の間をシールするオイルシールを保持するオイルシールリテーナをシリンダブロックの端壁外面に取り付けたエンジンにおいて、シリンダブロックの端壁に開口させた排気側オイル通路と吸気側オイル通路の開口端を覆う延長部をオイルシールリテーナに設けるとともに、両オイル通路の開口端間を接続する凹部を前記延長部に設けたことを特徴としている。
【発明の効果】
【０００７】
本発明に係るオイル通路は、シリンダブロックの端壁に開口させたオイル通路の開口端を覆う延長部をオイルシールリテーナに設け、該延長部に設けた凹部を介して排気側オイル通路と吸気側オイル通路の開口端間を接続したために、部品点数の増加を招くことなく排気側オイル通路と吸気側オイル通路をシリンダブロックの外部で接続することができるという利点がある。
【発明を実施するための最良の形態】
【０００８】
図１は本発明に係るエンジンのオイル通路装置に用いる一実施形態を示すオイルシールリテーナの正面図、図２は図１のＡ−Ａ端面図である。なお、図３に示した従来例と同一機能を有する部分には同一の符号を付してその詳細な説明を省略する。
【０００９】
これらの図において、図示しないシリンダブロックの排気側および吸気側の側壁にそれぞれオイル通路４、５を設け、これらのオイル通路４、５をそれぞれ図示しないシリンダブロックの端壁に開口させている。
【００１０】
一方、図示しないクランクシャフトとシリンダブロックの端壁の間をシールするオイルシール（図示省略）を保持するオイルシールリテーナ６に、前記両オイル通路４、５の開口端を覆う延長部６ａを設けている。そして、延長部６ａを中空状に構成して凹部６ｂを形成するとともに、この凹部６ｂを前記両オイル通路４、５の開口端に接続する開口６ｃを設けることにより、オイルシールリテーナ６をシリンダブロックの端面に取り付けると、排気側オイル通路４と吸気側オイル通路５の開口端間が延長部６ａに設けた凹部６ｂおよび開口６ｃを介して接続されるようにしている。
【００１１】
従って、従来のように独立部品としてのオイルパイプなどを用いることなく、オイルシールリテーナ６の一部を有効利用してシリンダブロックの排気側および吸気側の側壁にそれぞれ形成したオイル通路４、５を、シリンダブロックの外部で接続することができるために、部品点数および組立工数をともに削減することができる。
【００１２】
なお、実施形態においては、一つの排気側オイル通路４と二つの吸気側オイル通路５を設けた場合を例示しているが、排気側オイル通路４および吸気側オイル通路５の数は実施形態に限定されるものではなく、これらオイル通路の数は必要に応じて設定すればよい。
【図面の簡単な説明】
【００１３】
【図１】本発明に係るエンジンのオイル通路装置に用いる一実施形態を示すオイルシールリテーナの概略正面図である。
【図２】図１のＡ−Ａ端面図である。
【図３】従来のオイルシールリテーナを例示する概略正面図である。
【符号の説明】
【００１４】
４    排気側オイル通路
５    吸気側オイル通路
６    オイルシールリテーナ
６ａ  延長部
６ｂ  凹部
６ｃ  開口
【図１】
2005256658.tif 000003
【図２】
2005256658.tif 000004
【図３】
2005256658.tif 000005
(57)【要約】【課題】液晶プロジェクター等各種ＯＡ機器に使用される小型シロッコファンモータにおいて、吸気面積の課題を解決し、高い風量特性を得ることのできるシロッコファンモータを提供することを目的とする。【解決手段】内部に界磁マグネットを有するロータフレーム４と、前記ロータフレーム中心に締結されたシャフト１と、このシャフトを回転自在に支持する軸受要素２と、前記ロータフレーム４の外周部に固定された円環状のハブ部６とこのハブ部と一体に成形された羽根車７と、この羽根車を収容し、その天面側に開口部を形成したケーシングとで構成されるシロッコファンモータにおいて、前記ロータフレームの外周部の天面側に段部を形成し、この段部に前記ハブ部を固定したことで、シロッコファンの吸気を前記ロータフレームとケーシング部８で構成することにより、吸気部の面積を十分とることができる。【選択図】図１
2005256610.tif 000002
【特許請求の範囲】
【請求項１】
内部に界磁マグネットを有するロータフレームと、このロータフレーム中心に締結されたシャフトと、このシャフトを回転自在に支持する軸受要素と、前記ロータフレームの外周部に固定された円環状のハブ部と、このハブ部と一体に成形された羽根車と、この羽根車を収容し、その天面側に開口部を形成したケーシングとで構成されるシロッコファンモータにおいて、前記ロータフレームの外周部の天面側に段部を形成し、この段部に前記ハブ部を固定したことを特徴とするシロッコファンモータ。
【発明の詳細な説明】
【技術分野】
【０００１】
本発明は、液晶プロジェクター等各種ＯＡ機器に使用される機内冷却用として、小型薄型ながら高い静圧特性を有するシロッコファンモータに関するものである。
【背景技術】
【０００２】
従来、液晶プロジェクター等各種ＯＡ機器に使用される小型シロッコファンモータは、内周に界磁マグネットを有するロータフレームとこの外周に圧入保持されるハブ部と前記ハブ部と複数のステーを介して一体的に成形された羽根車と、前記ロータフレーム中心部に連なるシャフトと、前記シャフトを回転自在に支持する軸受要素と、前記軸受要素をその内部に収納固定し、かつステータをその外周部に固定するステータボスを有しており、シロッコファンの吸気構造としてはケーシングの天面に形成された開口部と前記ハブ部で構成されていた（例えば、特許文献１参照）。
【０００３】
図３に従来のシロッコファンモータの構造を示す。図３において１２は軸受要素、１３はステータ、１８はケーシング、１４はロータフレーム、１６はハブ、１７はハブと一体成形されたファンである。
【特許文献１】特許第３２７７６４１号公報（第５頁、図１、図２）
【発明の開示】
【発明が解決しようとする課題】
【０００４】
上記従来の構成では、ハブ部とケーシング間の面積が狭くなり、シロッコファンモータを薄型化していく場合、吸気部の面積が十分とれなくなるという課題があった。
【０００５】
本発明は、このような従来の課題を解決するものであり、吸気部の面積を十分とることができるため、小型ながら高い静圧特性を発揮することができる小型シロッコファンモータを提供することを目的とする。
【課題を解決するための手段】
【０００６】
上記課題を解決するために本発明は、内部に界磁マグネットを有するロータフレームと、このロータフレーム中心に締結されたシャフトと、このシャフトを回転自在に支持する軸受要素と、前記ロータフレームの外周部に固定された円環状のハブ部とこのハブ部と一体に成形された羽根車と、この羽根車を収容し、その天面側に開口部を形成したケーシングとで構成されるシロッコファンモータにおいて、前記ロータフレームの外周部の天面側に段部を形成し、この段部に前記ハブ部を固定したものである。
【発明の効果】
【０００７】
請求項１記載の発明によれば、ケーシング部の開口部とロータフレームとで構成される吸気部がロータフレームの外周部の天面側に形成した段部により拡大されるため、従来品のハブ部による吸気部に比べ、吸気面積を十分とることができるので吸気の減少を解消することができ、風量の大きいシロッコファンを提供することができるという有利な効果が得られる。
【発明を実施するための最良の形態】
【０００８】
本発明の請求項１に記載の発明は、内部に界磁マグネットを有するロータフレームと、このロータフレーム中心に締結されたシャフトと、このシャフトを回転自在に支持する軸受要素と、前記ロータフレームの外周部に固定された円環状のハブ部と、このハブ部と一体に成形された羽根車と、この羽根車を収容し、その天面側に開口部を形成したケーシン
グとで構成されるシロッコファンモータにおいて、前記ロータフレームの外周部の天面側に段部を形成し、この段部に前記ハブ部を固定したことを特徴とするシロッコファンモータであり、吸気部の面積を十分とることができるため、小型ながら高い風量特性を発揮することができる小型シロッコファンモータが得られるという作用を有する。
【実施例１】
【０００９】
以下本発明の実施の形態について、図面を参照して説明する。
【００１０】
図１において本発明は、内部に界磁マグネット５を有するロータフレーム４と、このロータフレーム中心に締結されたシャフト１と、このシャフトを回転自在に支持する軸受要素２と、前記ロータフレームの外周部に固定された円環状のハブ部６とこのハブ部と一体に成形された羽根車７と、この羽根車を収容し、その天面側に開口部を形成したケーシング８とで構成されるシロッコファンモータにおいて、前記ロータフレームの外周部の天面側に段部を形成し、この段部に前記ハブ部を固定したことを特徴とするシロッコファンモータである。
【００１１】
上記構成により本発明のシロッコファンモータはハブ部を円環状に構成することにより、吸気部がロータフレームとケーシング部で構成されるため吸気部の面積を十分とることができ、小型ながら高い風量特性を有するシロッコファンモータを実現するという作用を有することができる。
【００１２】
図２は本発明のシロッコファンモータの外観図である。
【産業上の利用可能性】
【００１３】
本発明のシロッコファンモータは吸気部の面積を十分とることができ、高い風量特性を有するという有利な効果が得られるので、小型薄型ながら高い静圧特性を必要とする液晶プロジェクター等の各種ＯＡ機器の機内冷却用としても有用である。
【図面の簡単な説明】
【００１４】
【図１】本発明の実施の形態１によるシロッコファンモータの構造図
【図２】本発明の実施の形態１によるシロッコファンモータの外観図
【図３】従来のシロッコファンモータの構造図
【符号の説明】
【００１５】
１  シャフト
２、１２  軸受
３、１３  ステータコア
４、１４  ロータフレーム
５、１５  界磁マグネット
６、１６  ハブ
７、１７  羽根車
８、１８  ケーシングＡ
９  ケーシングＢ
【図１】
2005256610.tif 000003
【図２】
2005256610.tif 000004
【図３】
2005256610.tif 000005